(57)【要約】【課題】簡便に試験的な動作の実行や過去の動作の再現ができるフィールド機器診断装置を提供する。【解決手段】入力データ処理部３は、フィールド機器１，１，・・・からリアルタイムにデータを取得するデータ取得手段３１と、ユーザの指示に従って、データ取得手段３１により取得されるリアルタイムのデータまたは履歴データ格納手段４から取得される履歴データを、診断実行手段２に選択的に与えるデータ選択手段３２と、履歴データ格納手段２から取得される履歴データを、入力装置６への操作に従って編集する履歴データ編集手段３３と、を構成する。診断結果通知部５は、診断実行手段２による診断結果を通知する通知手段５１と、データ選択手段３２により選択されるデータに応じて通知手段５１の通知モードを切り替える通知制御手段５２と、を構成する。【選択図】図１
2008250672.tif 000002
【特許請求の範囲】
【請求項１】
フィールド機器から取得したデータに基づいて、当該フィールド機器の診断を行うフィールド機器診断装置において、
フィールド機器から取得したデータに基づき当該フィールド機器を診断する診断実行手段と、
フィールド機器からリアルタイムにデータを取得するデータ取得手段と、
フィールド機器から取得された履歴データを格納する履歴データ格納手段と、
ユーザの指示に従って、前記データ取得手段により取得されるリアルタイムのデータまたは前記履歴データ格納手段から取得される履歴データを、前記診断実行手段に選択的に与えるデータ選択手段と、
を備えることを特徴とするフィールド機器診断装置。
【請求項２】
前記履歴データ格納手段から取得される履歴データを編集する履歴データ編集手段を備え、
前記データ選択手段は、前記履歴データ編集手段により編集された履歴データを前記診断実行手段に与えることを特徴とする請求項１に記載のフィールド機器診断装置。
【請求項３】
前記診断実行手段の診断アルゴリズムを作成または編集するアルゴリズム作成手段を備えることを特徴とする請求項１または２に記載のフィールド機器診断装置。
【請求項４】
前記診断実行手段による診断結果を通知する通知手段と、
前記データ選択手段により選択されるデータに応じて前記通知手段の通知モードを切り替える通知制御手段と、
を備えることを特徴とする請求項１〜３のいずれか１項に記載のフィールド機器診断装置。
【請求項５】
フィールド機器から取得したデータに基づいて、当該フィールド機器の診断を行うフィールド機器診断方法において、
フィールド機器から取得したデータに基づき当該フィールド機器を診断するステップと、
フィールド機器からリアルタイムにデータを取得するステップと、
フィールド機器から取得された履歴データを格納するステップと、
ユーザの指示に従って、前記データを取得するステップにより取得されるリアルタイムのデータまたは前記履歴データを格納するステップにより格納された履歴データを、前記診断するステップで用いるデータとして選択するステップと、
を備えることを特徴とするフィールド機器診断方法。
【請求項６】
前記診断するステップによる診断結果を通知するステップと、
前記選択するステップにより選択されるデータに応じて前記診断結果を通知するステップの通知モードを切り替えるステップと、
を備えることを特徴とする請求項５に記載のフィールド機器診断方法。
【発明の詳細な説明】
【技術分野】
【０００１】
本発明は、フィールド機器から取得したデータに基づいて、当該フィールド機器の診断を行うフィールド機器診断装置およびフィールド機器診断方法に関する。
【背景技術】
【０００２】
FF-H1機器に代表されるフィールド機器は、その機器が設置されている環境や使用状況、動作回数などに影響される性能や劣化に関する情報を保持する機能を有し、その情報に基づいてその機器の交換時期や劣化状況を判断することが可能となってきている。
【０００３】
このようなフィールド機器を診断する診断装置として、装置に実装された診断実行プログラムを動作させることで、フィールド機器の機器データをリアルタイムに取得し、取得した機器データに基づいて診断を実行するものがある。リアルタイムでの診断により、例えば、異常が発見された場合には、機器の保守担当者などに異常の発生を通知することができる。
【特許文献１】特開２００３−３１６４２４号公報
【発明の開示】
【発明が解決しようとする課題】
【０００４】
しかし、機器診断を実行するための診断実行プログラムの作成中に、あるいはプログラムに修正や改良を加えるために、試験的に実機でプログラムを走らせたい場合がある。また、保守のトレーニングなどを目的として、過去の機器データを用いて診断装置の診断動作を再現したい場合もある。しかし、従来の診断装置では、診断実行プログラムやインタフェースに変更を加えることなく、試験的な動作をさせることができない。
【０００５】
本発明の目的は、簡便に試験的な動作の実行や過去の動作の再現ができるフィールド機器診断装置を提供することにある。
【課題を解決するための手段】
【０００６】
本発明のフィールド機器診断装置は、フィールド機器から取得したデータに基づいて、当該フィールド機器の診断を行うフィールド機器診断装置において、フィールド機器から取得したデータに基づき当該フィールド機器を診断する診断実行手段と、フィールド機器からリアルタイムにデータを取得するデータ取得手段と、フィールド機器から取得された履歴データを格納する履歴データ格納手段と、ユーザの指示に従って、前記データ取得手段により取得されるリアルタイムのデータまたは前記履歴データ格納手段から取得される履歴データを、前記診断実行手段に選択的に与えるデータ選択手段と、を備えることを特徴とする。
このフィールド機器診断装置によれば、フィールド機器から取得された履歴データを用いてフィールド機器の診断動作を実行させることができるため、簡便に試験的な動作の実行や過去の動作の再現ができる。
【０００７】
前記履歴データ格納手段から取得される履歴データを編集する履歴データ編集手段を備え、前記データ選択手段は、前記履歴データ編集手段により編集された履歴データを前記診断実行手段に与えてもよい。
【０００８】
前記診断実行手段の診断アルゴリズムを作成または編集するアルゴリズム作成手段を備えてもよい。
【０００９】
前記診断実行手段による診断結果を通知する通知手段と、前記データ選択手段により選択されるデータに応じて前記通知手段の通知モードを切り替える通知制御手段と、を備えてもよい。
【００１０】
本発明のフィールド機器診断方法は、フィールド機器から取得したデータに基づいて、当該フィールド機器の診断を行うフィールド機器診断方法において、フィールド機器から取得したデータに基づき当該フィールド機器を診断するステップと、フィールド機器からリアルタイムにデータを取得するステップと、フィールド機器から取得された履歴データを格納するステップと、ユーザの指示に従って、前記データを取得するステップにより取得されるリアルタイムのデータまたは前記履歴データを格納するステップにより格納された履歴データを、前記診断するステップで用いるデータとして選択するステップと、を備えることを特徴とする。
このフィールド機器診断方法によれば、フィールド機器から取得された履歴データを用いてフィールド機器の診断動作を実行させることができるため、簡便に試験的な動作の実行や過去の動作の再現ができる。
【００１１】
前記診断するステップによる診断結果を通知するステップと、前記選択するステップにより選択されるデータに応じて前記診断結果を通知するステップの通知モードを切り替えるステップと、を備えてもよい。
【発明の効果】
【００１２】
本発明のフィールド機器診断装置によれば、フィールド機器から取得された履歴データを用いてフィールド機器の診断動作を実行させることができるため、簡便に試験的な動作や過去の動作の再現が可能となる。
【００１３】
本発明のフィールド機器診断方法によれば、フィールド機器から取得された履歴データを用いてフィールド機器の診断動作を実行させることができるため、簡便に試験的な動作や過去の動作の再現が可能となる。
【発明を実施するための最良の形態】
【００１４】
以下、図１〜図２を参照して、本発明によるフィールド機器診断装置の一実施形態について説明する。
【００１５】
図１は、本実施形態のフィールド機器診断装置の構成を示すブロック図である。
【００１６】
図１に示すように、本実施形態のフィールド機器診断装置は、フィールド機器１，１，・・・に対する診断を実行する診断実行手段２と、診断実行手段２に診断処理に必要なフィールド機器１，１，１，・・・のデータを与える入力データ処理部３と、フィールド機器１，１，１，・・・から取得した履歴データを格納する履歴データ格納手段４と、診断実行手段２におけるフィールド機器の診断結果を通知する診断結果通知部５と、ユーザの操作を受け付けるマウスやキーボード等の入力装置６と、を備える。
【００１７】
図１に示すように、診断実行手段２には、診断タスク（タスク１，タスク２，・・・タスクｎ）のアルゴリズムがバイナリプログラムとして表現された診断実行プログラムが実装されている。診断実行時には、このプログラムファイルが診断対象となるフィールド機器に対応する診断タスク（タスク１，タスク２，・・・タスクｎ）としてメモリにロードされ、機器診断を行う。この診断実行プログラムはアルゴリズム作成手段２１により作成、編集可能とされている。ユーザは、入力装置６を介してアルゴリズム作成手段２１によりプログラムを作成、編集できる。
【００１８】
図１に示すように、入力データ処理部３は、フィールド機器１，１，・・・からリアルタイムにデータを取得するデータ取得手段３１と、ユーザの指示に従って、データ取得手段３１により取得されるリアルタイムのデータまたは履歴データ格納手段４から取得される履歴データを、診断実行手段２に選択的に与えるデータ選択手段３２と、履歴データ格納手段２から取得された履歴データを、入力装置６への操作に従って編集、加工する履歴データ編集手段３３と、を構成する。
【００１９】
診断結果通知部５は、診断実行手段２による診断結果を通知する通知手段５１と、データ選択手段３２により選択されるデータに応じて通知手段５１の通知モードを切り替える通知制御手段５２と、を構成する。
【００２０】
次に、本実施形態のフィールド機器診断装置の動作について説明する。
【００２１】
診断実行手段２は、入力手段６を介して与えられた指示に応じて、所定のアルゴリズムとして規定された診断タスクを実行する。本実施形態のフィールド機器診断装置では、診断タスクの起動に際し、ユーザの指示に従って、動作モードとしてリアルタイムモードまたは履歴データモードが選択される。実際に機器診断を実行する通常時には、リアルタイムモードが動作モードとして選択される。
【００２２】
図２は、本実施形態のフィールド機器診断装置の動作手順を示すフローチャートである。
【００２３】
図２のステップＳ１では、入力手段６を介してリアルタイムモードの選択が指示されているか否か判断し、判断が肯定されればステップＳ２へ進む。判断が否定されればステップＳ４へ進む。ステップＳ２では、動作モードとしてリアルタイムモードを選択する。また、ステップＳ３では、診断結果通知部５の通知手段５１による通知方法をリアルタイムモード時に対応する通知モードに設定し、ステップＳ４へ進む。
【００２４】
リアルタイムモードが選択された場合（ステップＳ２）、データ取得手段３１は、通信回線１１を介して診断対象となるフィールド機器１から必要な機器データ（リアルタイムデータ）を、時刻データとともにリアルタイムで取得する。また、データ取得手段３１で取得されたデータは、不揮発性の履歴データとして履歴データ格納手段４に格納される。
【００２５】
また、データ選択手段３２は、リアルタイムモードを選択する旨の入力手段６からの指示に従って、データ取得手段３１で取得されたリアルタイムデータを選択し、診断実行手段２に与える。
【００２６】
診断実行手段２は、リアルタイムデータに基づいて、該当するフィールド機器１についてのリアルタイムでの診断を実行する。
【００２７】
また、診断実行手段２の診断結果は通知手段５１を介して通知される。リアルタイムモードが選択されている場合、通知制御手段５２は通知手段５１による通知方法をリアルタイムモード時に対応する通知モードに設定する（ステップＳ３）。この通知モードでは、通常時の通知が行われる。例えば、診断結果が異常を示す場合には、その異常が機器アラームとして記録されるとともに、当該フィールド機器の保守担当者にアラームが転送されるような通知を行う。
【００２８】
一方、ステップＳ４では、入力手段６を介して履歴データモードの選択が指示されているか否か判断し、判断が肯定されればステップＳ５へ進む。判断が否定されればステップＳ１へ戻る。ステップＳ５では、動作モードとして履歴データモードを選択する。また、ステップＳ６では、診断結果通知部５の通知手段５１による通知方法を履歴データモード時に対応する通知モードに設定し、ステップＳ１へ戻る。
【００２９】
履歴データモードが選択された場合（ステップＳ５）、データ選択手段３２は、データ取得手段３１で取得されたリアルタイムデータに替えて、履歴データ格納手段４の履歴データを選択し、診断実行手段２に与える。履歴データモードの選択に際し、ユーザは入力手段６を介して、使用する履歴データを期間（時刻データが示す期間）等により指定する。データ選択手段３２は、ユーザにより指定された履歴データを履歴データ格納手段４から取得し、診断実行手段２に与える。また、必要に応じて、ユーザは入力手段６を介して、履歴データ編集手段３３により履歴データを編集、加工することもできる。この場合、データ選択手段３２は履歴データ格納手段４から取得された履歴データに替えて、履歴データ編集手段３３により編集、加工された履歴データを診断実行手段２に与える。
また、データ選択手段３２は、履歴データであることを示すフラグを履歴データに付加して診断実行手段２に与える。
【００３０】
診断実行手段２は、データ選択手段３２により与えられた履歴データに基づいて、該当するフィールド機器１についての診断を、リアルタイムモード時と区別することなく同一プログラム、同一アルゴリズムに従って実行する。この場合、上記フラグは無視される。
【００３１】
また、診断実行手段２の診断結果は、上記フラグを付加したうえで通知手段５１を介して通知される。履歴データモードが選択されている場合、通知制御手段５２は通知手段５１による通知方法を履歴データモード時に対応する通知モードに設定する（ステップＳ５）。なお、通知制御手段５２は上記フラグの有無に基づいて、選択されている動作モードを認識する。ただし、動作モードを認識する方法として任意の方法を選択できる。
【００３２】
履歴データモード時に対応する通知モードでは、リアルタイムモード時の通常の通知方法に替えて、履歴データモードに対応した通知方法が採られる。例えば、診断結果が異常を示す場合であっても、実際にフィールド機器に異常が発生しているわけではないため、機器アラームとして記録されず、あるいは、フィールド機器の保守担当者へ通知しないように制御することができる。このため、履歴データモード時の不都合を回避できる。
【００３３】
以上のように、本実施形態のフィールド機器診断装置によれば、動作モードを切り替えることで、過去の履歴データを用いた診断処理を実行させることができるので、実機を用いて診断実行プログラムを試験的に動作させることができる。したがって、実際の動作状況を見ながら、アルゴリズム作成手段２１によりプログラムの作成や修正を行い、あるいは別のアルゴリズムを試行することができる。また、履歴データを用いて過去の診断処理を容易に再現できるため、各種の検証やトレーニングに有用な環境や情報を提供することができる。さらに、過去のデータを履歴データ編集手段３３により編集、加工することで、様々な状況を作り出すことができる。例えば、過去の機器劣化の典型的なパターンを用いて、その事象の発生を再現でき、例えば、オペレータによる、機器交換などの各種対処のためのトレーニングやシミュレーションを行うことができる。本実施形態によれば、実際の設備を使用した診断処理の再現が可能となるため、単に診断装置を共通化できるだけでなく、機器交換等のトレーニングを実際の設備環境で行うことができるという点で、大きなトレーニング効果が期待できるという利点もある。
【００３４】
また、診断実行プログラムは、リアルタイムデータと履歴データとを区別することなく処理を実行するので、診断実行プログラム自身に履歴データを適用するための処理を付加する必要がない。
【００３５】
さらに、本実施形態のフィールド機器診断装置では、動作モードに応じて通知モードを切り替えているため、同一プログラムを実際の設備で用いることに起因する履歴データモード時の不都合を回避できる。例えば、プログラムが検出したアラームなどを履歴データモード時には無視し、あるいは、リアルタイムモード時には当然に実行されるべき担当者への緊急時のメール転送などを、履歴データモード時には禁止することも可能となる。このように、本実施形態では、動作モードに応じて通知モードを切り替えているので、それぞれの動作モードに応じたプログラムを作り込むための負担が発生しない。
【００３６】
以上説明したように、本発明のフィールド機器診断装置によれば、フィールド機器から取得された履歴データを用いてフィールド機器の診断動作を実行させることができるため、簡便に試験的な動作や過去の動作の再現が可能となる。また、通知モードの切り替えにより、履歴データを用いた診断動作時の不都合を回避できる。
【００３７】
本発明の適用範囲は上記実施形態に限定されることはない。本発明は、フィールド機器から取得したデータに基づいて、当該フィールド機器の診断を行うフィールド機器診断装置およびフィールド機器診断方法に対し、広く適用することができる。
【図面の簡単な説明】
【００３８】
【図１】一実施形態のフィールド機器診断装置の構成を示すブロック図。
【図２】本実施形態のフィールド機器診断装置の動作手順を示すフローチャート。
【符号の説明】
【００３９】
２      診断実行手段
４      履歴データ格納手段
３１    データ取得手段
３２    データ選択手段
３３    履歴データ編集手段
５１    通知手段
５２    通知制御手段
【図１】
2008250672.tif 000003
【図２】
2008250672.tif 000004